(57)【要約】【課題】  携帯電話から番号の組み合わせのみで様々なＩＰ網に接続された各種サーバによるサービスを享受することを可能にする。【解決手段】  ＩＳＤＮ回線で現在利用されているサブアドレス方式を応用して、電話番号の一部をコマンドフィールド及び引数として使用するフォーマットを定義し、ゲートウェイ２を介し、そのコマンドに応じてＩＰ網７に接続された各種サーバ（ＳＩＰサーバ３、グループウェアサーバ４）に指令を送る仕組みを提供する。このことにより、携帯電話１は、ＩＰ電話端末５との間通話は勿論のこと、ＩＰ電話端末５以外のＩＰ網７に接続されたサーバが提供するサービスにアクセスすることが出来る。【選択図】      図１
2005286475.tif 000002
【特許請求の範囲】
【請求項１】
第３世代携帯電話とＩＰ電話端末とを接続して通信を行うゲートウェイ装置であって、
前記携帯電話からサブアドレスを用いた発呼を受信し、前記サブアドレスを、宛先アドレスとコマンドに分割して認識し、前記コマンドが示す内容に応じて前記宛先アドレスに対応する電話番号からユーザ名に変換して宛先となる前記ＩＰ電話端末への発呼を起動するサービス接続手段、
を備えことを特徴とするゲートウェイ装置。
【請求項２】
前記サービス接続手段は、
前記ＩＰ電話端末とともにＩＰ網を介して接続されるＳＩＰサーバの登録情報を元にＳＩＰアドレスと電話番号とのマッピングデータを入手し、前記宛先アドレスに対応する電話番号からユーザ名に変換した後、前記ＳＩＰサーバを発呼し、当該ＳＩＰサーバによる相手先ＩＰ端末への発呼要求を起動することを特徴とする請求項１に記載のゲートウェイ装置。
【請求項３】
前記サービス接続手段は、
前記コマンドが示す内容に応じて前記宛先アドレスに対応する電話番号からユーザ名に変換して宛先となる前記ＩＰ網に接続されたサーバをアクセスし、前記サーバ処理による前記携帯端末へのメール送信操作を起動することを特徴とする請求項２に記載のゲートウェイ装置。
【請求項４】
第３世代携帯電話とＩＰ電話端末を、ゲートウェイ装置を介して接続し、通信を行う通信サービス接続方法であって、
前記携帯電話からサブアドレスを用いた発呼を受信し、前記サブアドレスを、宛先アドレスとコマンドに分割して認識するステップと、
前記コマンドが示す内容に応じて前記宛先アドレスに対応する電話番号からユーザ名に変換して宛先となる前記ＩＰ電話端末への発呼を起動するステップと、
を有することを特徴とする通信サービス接続方法。
【請求項５】
第３世代携帯電話とＩＰ電話端末とを接続して通信を行うゲートウェイ装置に用いられるプログラムであって、
前記携帯電話からサブアドレスを用いた発呼を受信し、前記サブアドレスを、宛先アドレスとコマンドに分割して認識するステップと、
前記コマンドが示す内容に応じて前記宛先アドレスに対応する電話番号からユーザ名に変換して宛先となる前記ＩＰ電話端末への発呼を起動するステップと、
をコンピュータに実行させるプログラム。
【発明の詳細な説明】
【技術分野】
【０００１】
本発明は、第３世代携帯電話とＩＰ電話端末とを接続して電話サービスを行うゲートウェイ装置および同装置における通信サービス接続方法ならびにプログラムに関する。
【背景技術】
【０００２】
第３世代（３Ｇ）携帯電話とＩＰ（Internet Protocol）電話端末とを繋ぎ合わせ、両者で映像と音声を組み合わせたテレビ電話サービスを実現する装置として、３Ｇ３２４Ｍゲートウェイ装置(以下、ゲートウェイ)がある。このゲートウェイはそれぞれ３Ｇ携帯電話が使用しているセッション確立、映像、音声とＩＰ網のそれらとの間で互いに通信できるよう変換するための装置である。
【０００３】
この装置を利用して３Ｇ携帯電話からＩＰ電話端末へ電話を掛ける場合は、通常ダイヤルイン方式やサブアドレス方式といった従来のＩＳＤＮ（Integrated Services Digital Network）サービスにより得られる拡張機能を応用して通話を実現している（例えば、特許文献１参照）。しかしながら、これらの方式の利用方法は、それぞれの電話番号に対しＩＰ電話端末にのみ対応付けしかなされていないのが現状である。
【特許文献１】特開平３−２７２２５５号公報
【発明の開示】
【発明が解決しようとする課題】
【０００４】
図４に、従来の３Ｇ３２４Ｍゲートウェイを用いた通信システムの一例を示す。この通信システムを利用し、３Ｇ３２４Ｍゲートウェイ２を用いて３Ｇ携帯電話１からＩＰ電話端末５へ電話を行う場合は、ＩＳＤＮサービスにあるダイヤルイン方式やサブアドレスを利用して実施している。図中、枠内に例示されるように、＊マーク以降の部分がサブアドレスと称される部分で、通常のＩＳＤＮ電話番号の後ろに付加される。ここに示す１００は、ＩＰ電話端末５のアドレス（例えば、sip:satoh@nttcom.co.jp）に一意に割当てられる。
上記したサブアドレスは勿論、ダイヤルイン方式において得られた電話番号は、それぞれＩＰ電話端末５のアドレスと対応付けされており、その電話番号を３Ｇ携帯電話から入力すると、電話番号に対応付けされているＩＰ電話端末５へ通話することができる。
しかしながら、これらそれぞれの方式で得られる電話番号は通常ＩＰ電話のアドレスのみに対応付けされているため、ＩＰ電話以外のサービス、例えば、スケジュール確認や、留守メッセージ再生、または伝言メモ蓄積といったＩＰネットワークで通常実現されているサービスに連携することができない。
【０００５】
本発明は上記事情に鑑みてなされたものであり、ＩＳＤＮ回線で現在利用されているサブアドレス方式を応用して、電話番号の一部をコマンドフィールド及び引数として使用するフォーマットを定義し、そのコマンドに応じてＩＰ網に接続された各種サーバに指令を送ることで、携帯電話から番号の組み合わせのみで様々なＩＰ網上のサービスにアクセスすることが可能な、ゲートウェイ装置および同装置における通信サービス接続方法ならびにプログラムを提供することを目的とする。
【課題を解決するための手段】
【０００６】
上記した課題を解決するために本発明は、第３世代携帯電話とＩＰ電話端末とを接続して通信を行うゲートウェイ装置であって、前記携帯電話からサブアドレスを用いた発呼を受信し、前記サブアドレスを、宛先アドレスとコマンドに分割して認識し、前記コマンドが示す内容に応じて前記宛先アドレスに対応する電話番号からユーザ名に変換して宛先となる前記ＩＰ電話端末への発呼を起動するサービス接続手段、を備えことを特徴とする。
【０００７】
また、本発明において、前記サービス接続手段は、前記ＩＰ電話端末とともにＩＰ網を介して接続されるＳＩＰサーバの登録情報を元にＳＩＰアドレスと電話番号とのマッピングデータを入手し、前記宛先アドレスに対応する電話番号からユーザ名に変換した後、前記ＳＩＰサーバを発呼し、当該ＳＩＰサーバによる相手先ＩＰ端末への発呼要求を起動することを特徴とする。
【０００８】
また、本発明において、前記サービス接続手段は、前記コマンドが示す内容に応じて前記宛先アドレスに対応する電話番号からユーザ名に変換して宛先となる前記ＩＰ網に接続されたサーバをアクセスし、前記サーバ処理による前記携帯端末へのメール送信操作を起動することを特徴とする。
【０００９】
また、本発明は、第３世代携帯電話とＩＰ電話端末を、ゲートウェイ装置を介して接続し、通信を行う通信サービス接続方法であって、前記携帯電話からサブアドレスを用いた発呼を受信し、前記サブアドレスを、宛先アドレスとコマンドに分割して認識するステップと、前記コマンドが示す内容に応じて前記宛先アドレスに対応する電話番号からユーザ名に変換して宛先となる前記ＩＰ電話端末への発呼を起動するステップと、を有することを特徴とする。
また、本発明は、第３世代携帯電話とＩＰ電話端末とを接続して通信を行うゲートウェイ装置に用いられるプログラムであって、前記携帯電話からサブアドレスを用いた発呼を受信し、前記サブアドレスを、宛先アドレスとコマンドに分割して認識するステップと、前記コマンドが示す内容に応じて前記宛先アドレスに対応する電話番号からユーザ名に変換して宛先となる前記ＩＰ電話端末への発呼を起動するステップと、をコンピュータに実行させることを特徴とする。
【発明の効果】
【００１０】
本発明によれば、ＩＳＤＮ回線で現在利用されているサブアドレス方式を応用して、電話番号の一部をコマンドフィールド及び引数として使用するフォーマットを定義し、そのコマンドに応じてＩＰ網に接続された各種サーバに指令を送ることで、携帯電話は、ＩＰ電話端末との接続は勿論のこと、ＩＰ電話端末以外のＩＰ網に接続されたサーバが提供するサービスにアクセスすることが出来、携帯電話とＩＰ電話端末間でより利便性の高いサービスを享受できる。
【００１１】
具体的に、ＩＳＤＮで使用されているサブアドレスに対するフォーマットを、サービスごとに変化させることで、例えば、グループウェアサーバによるスケジュール取得、Ｗｅｂサーバからの情報取得や入力等、複数の引数やコマンドの組み合わせによりＩＰ網に接続されたサーバ群が提供する各種サービスにアクセス可能となる。また、ボタンプッシュ（トーン）でコマンドを入力する従来例に比較して利用者からワンアクションでサービスを利用することができ、また、通話状態でコマンドを入力する必要はないため、電話回線を占有する時間が短くて済むといった利点もある。
【発明を実施するための最良の形態】
【００１２】
図１は、本発明のゲートウェイ装置を含む通信システムを説明するために引用した図である。
図１において、符号１は第３世代携帯電話であり、３Ｇ３２４Ｍ網８、ＩＳＤＮ（Integrated Services Digital Network）網６を介し、Ｗｅｂサーバ機能付き３Ｇ３２４Ｍゲートウェイ装置２（以下、単にゲートウェイという）に接続されている。また、符号５は、ＩＰ電話端末であり、ゲートウェイ２、ＳＩＰ（Session Initiation Protocol）サーバ３、グループウェアサーバ４と共に、ＩＰ（Internet Protocol）網７に接続されている。
【００１３】
なお、ここで、携帯電話１は、ＦＯＭＡ（Freedom Of Mobile multimedia Access)等の第３世代携帯電話とし、また、ＳＩＰサーバ３は、ＳＩＰアドレス情報やＩＰ電話端末５の呼情報、通話管理を行うサーバであり、ＩＰ電話端末５は、パソコンにインストールされたＩＰソフトフォン、もしくはＩＰ電話機とする。
なお、ゲートウェイ２は、３Ｇ３２４ＭゲートウェイにＷｅｂサーバ機能を付加した３Ｇ３２４Ｍ拡張ゲートウェイであり、内蔵されるサービス接続手段（図示せず）によりこの機能を実現する。
【００１４】
サービス接続手段は、携帯電話１からサブアドレスを用いた発呼を受信し、当該サブアドレスを、宛先アドレスとコマンドに分割して認識し、コマンドが示す内容に応じて宛先アドレスに対応する電話番号からユーザ名に変換して宛先となるＩＰ電話端末５への発呼を起動する。
サービス接続手段はまた、ＩＰ電話端末５とともにＩＰ網７を介して接続されるＳＩＰサーバ３の登録情報を元にＳＩＰアドレスと電話番号とのマッピングデータを入手し、宛先アドレスに対応する電話番号からユーザ名に変換した後、ＳＩＰサーバ３を発呼し、当該ＳＩＰサーバ３による相手先ＩＰ電話端末５への発呼要求を起動する。更に、コマンドが示す内容に応じて宛先アドレスに対応する電話番号からユーザ名に変換して宛先となるＩＰ網７に接続されたグループウェアサーバ４もしくは図示せぬＷｅｂサーバ等をアクセスし、これらサーバ処理による携帯端末１へのメール送信操作を起動する。
【００１５】
概略動作の流れを説明する。まず、ＩＰ電話端末５は、ＳＩＰサーバ３に対してアドレス登録処理を実行する。続いて、ＳＩＰサーバ３は、ゲートウェイ２に対してその登録情報に基づきＤＢ（Database）の情報テーブルの更新を行う。ここで、情報テーブルとは、名前と電話番号とがマッピングされた情報をいう。
以上の前処理の後、３Ｇ携帯電話１は、電話番号を用いてゲートウェイ２に通話要求を発行する。本発明によれば、ゲートウェイ２に、サブアドレスを、宛先アドレス部とコマンド部といったフォーマットとして認識する機能を持たせている。ここでは、ゲートウェイ２は、サブアドレス＊００００を、宛先アドレス部０００、コマンド部０として認識する。そこで、＊１０００の場合、ＳＩＰサーバ３経由でＩＰ電話端末５に電話し、＊１００１の場合、Ｗｅｂサーバ（宛先＊１００）にある情報を取得してメール送信する。以下にその詳細を説明する。
【００１６】
図２に本発明実施形態の動作シーケンス図が示されている。以下、図２を参照しながら図１に示す本発明実施形態の動作について詳細に説明する。
ＩＰ電話端末５は、まず、ＳＩＰプロトコルに従いＳＩＰサーバ３に対してアドレス登録処理を実行する（Ｓ２１）。これを受けたＳＩＰサーバ３は、登録されたＩＰ電話端末５のアドレス情報をＤＢに格納する。なお、ＤＢに格納されているユーザ名（ＳＩＰアドレスのユーザ名）とグループウェアのユーザ名は同一となるように設定することが以降の説明を行ううえでの前提条件である。
一方、ゲートウェイ２は、ＤＢをアクセスしてＳＩＰアドレスを取得する（Ｓ２２）。このとき、ＳＩＰアドレスと電話番号をマッピングして情報テーブルを作成し（Ｓ２３）、この際、ＳＩＰアドレスからユーザ名を切り出しておく。
【００１７】
以上の前処理の後、携帯電話１は、サブアドレスを用いて発呼する（Ｓ２４）。例えば、０９０−１１１１−１１１１＊００００×とする。これを受信したゲートウェイ２は、サブアドレス＊００００×をアドレス部とコマンド部に分割する（Ｓ２５）。ここでは＊００００がアドレス部で、×がコマンド部に相当する。
ここで、コマンド部分×が“０”の場合、ゲートウェイ２は、アドレス部に対応する電話番号からＳＩＰアドレスに変換した後、ＳＩＰサーバ３に対して発呼要求を発し（Ｓ２６）、これを受けたＳＩＰサーバ３は、相手先となるＩＰ電話端末５へ発呼要求を発する（Ｓ２７）。以降、ＩＰ電話端末５から応答を得て、ゲートウェイ２を経由して携帯電話１に応答する。このことにより、携帯電話１とＩＰ電話端末５間でリンクが確立され、通話状態となる。
【００１８】
一方、コマンド部分×が“１”の場合、アドレス部に対応する電話番号からユーザ名に変換した後、グループウェアサーバ４へ発呼要求を発信する（Ｓ２８）。
グループウェアサーバ４は、ユーザ名に対応する、例えば、ユーザの現在の予定表を取得し、また、同時に各ユーザがグループウェアに設定しているメールアドレスを取得する（Ｓ２９）。そして、そのメールアドレスに基づき、該当する携帯電話１に対してその予定表をメール送信する（Ｓ３０）。なお、ここでは、グループウェアサーバ４をアクセスする例を述べたが、他に、ＩＰ網７に接続される、例えばＷｅｂサーバからも同様に情報を入手し、あるいは入力しても良い。
【００１９】
なお、ここでは、ユーザを特定するアドレス部は４桁、コマンド部は１桁とした。そして、コマンドが“０”のとき、ＩＰ電話サービスを提供することとし、“１”のとき、スケジュール確認を行うこととし、“２”のとき、社員データの検索を行うこととしてそれぞれ定義した。
サブアドレス部が＊０００１０となっている場合、０００１に相当するユーザにＩＰ電話をかける。ここでは、ＳＩＰを想定しているため、ゲートウェイ２で０００１からＳＩＰアドレスに変換した後は、ＳＩＰサーバ３へ発呼要求を発信する。なお、Ｈ．３２３プロトコルを用いたＩＰ電話であれば、ゲートウェイ２は、Ｈ．３２３用のアドレスに変換し、図示せぬゲートキーパへ発呼要求を発信することになる。
【００２０】
また、サブアドレス部が＊０００１１となっている場合、０００１に相当するユーザの現在時刻スケジュールを調べる。ゲートウェイ２は、０００１に相当するユーザのグループウェアにおけるユーザ名（ＳＩＰアドレスのユーザ名：ｓｉｐ：ｘｘｘ＠ｙｙｙのｘｘｘ部分と同じであると仮定する）に変換し、グループウェアからスケジュール情報を検索し、メール本体に添付することによりユーザへ通知する。
更に、サブアドレス部が＊０００１２となっている場合、０００１に相当するユーザの社員データを検索する。０００１に相当するユーザの社員ＤＢにおけるユーザ名（ＳＩＰアドレスのユーザ名：ｓｉｐ：ｘｘｘ＠ｙｙｙのｘｘｘ部分と同じであると仮定する）に変換し、Ｓｅｌｅｃｔコマンドでユーザ名をキーに変換し、社員ＤＢ内の社員情報をメール本体に添付してユーザへ通知する。
なお、上記したコマンド１、２の場合、携帯端末１は、マルチアクセス機能を持つ必要がある。
【００２１】
なお、ゲートウェイ２にＷｅｂサーバの機能を持たせ、Ｗｅｂサーバ上で名前と電話番号とがマッピングされた情報を公開することで、ユーザ（携帯端末１）は、Ｗｅｂページ上の宛先の名前をクリックするだけで発呼することができる。上記した情報は、ＳＩＰサーバ３の登録情報に基づいて自動生成され、マッピング情報は、ゲートウェイ２によって保持され、ゲートウェイ１によってプールされている電話番号の中から動的に選んで割当てられる。
【００２２】
ここでは、上記した自動アドレス登録の仕組みと連携させ、コマンドをＷｅｂページで閲覧選択する仕組みについて説明する。
図３にその一例が示されている。すなわち、ここでは、携帯電話１の画面が示されているように、アドレス部、コマンド部の指定は、プロダウンメニュー等により選択させるように設定し、実行ボタンを押すことにより取り込まれる。アドレスのプルダウンメニューに表示する名前は、ＳＩＰアドレスの＠マーク直前に位置するユーザ名を表示するこことし、コマンドのプルダウンメニューには、各々サービス内容がわかるように、言葉で表記するものとする。データとしては、それぞれのサービスに対応する数字が付与される。例えば、ＩＰ電話は０である。
上記したＷｅｂページを公開することで、ユーザは、内蔵するＷｅｂブラウザを用いて閲覧することにより、アドレスやコマンドを選択することができ、各種サービスを享受する際の操作性が向上する。
【００２３】
以上説明のように本発明は、ＩＳＤＮ回線で現在利用されているサブアドレス方式を応用して、電話番号の一部をコマンドフィールド及び引数として使用するフォーマットを定義し、そのコマンドに応じてＩＰ網７に接続された各種サーバに指令を送る仕組みを提供するものであり、このことにより、携帯電話１は、ＩＰ電話端末５との間通話は勿論のこと、ＩＰ電話端末５以外のＩＰ網７に接続されたサーバ（例えば、グループウェアサーバ４）が提供するサービスにアクセスすることが出来、携帯電話１とＩＰ電話端末５間でより利便性の高いサービスを享受できる。
【００２４】
具体的に、ＩＳＤＮで使用されているサブアドレスに対するフォーマットを、サービスごとに変化させることで、例えば、グループウェアサーバによるスケジュール取得、Ｗｅｂサーバからの情報取得や入力等、複数の引数やコマンドの組み合わせによりＩＰ網に接続されたサーバ群が提供する各種サービスにアクセス可能となる。また、ボタンプッシュ（トーン）でコマンドを入力する従来例に比較して利用者からワンアクションでサービスを利用することができ、また、通話状態でコマンドを入力する必要はないため、電話回線を占有する時間が短くて済むといった利点もある。
携帯端末１は、Ｗｅｂページ上の宛先の名前をクリックするだけで発呼を行うことができ、従ってユーザは単に宛先の名前さえ分かればよく、都度どの電話番号が宛先のＩＰ電話にマッピングされているのかを調べずに済む。また、アドレスやコマンドもそのページ上で選択が可能であり、提供を受けるサービスの選択設定が容易であり、操作性とともに利便性も向上する。
【００２５】
なお、本発明によれば、サービス接続手段で実行される手順をコンピュータ読み取り可能な記録媒体に記録し、この記録媒体に記録されたプログラムをコンピュータシステムに読み込ませ、実行することによって本発明のゲートウェイ装置を実現することができるものである。ここでいうコンピュータシステムとは、ＯＳや周辺機器等のハードウェアを含む。
【００２６】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００２７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２８】
【図１】本発明実施形態にかかわるゲートウェイ装置を含む通信システムを説明するために引用した図である。
【図２】本発明実施形態にかかわる動作を説明するために引用した動作シーケンス図である。
【図３】本発明実施形態にかかわるアドレスとコマンドの設定方法の一例を説明するために引用した図である。
【図４】従来の３Ｇ３２４Ｍゲートウェイを用いた通信システムの構成例を示す図である。
【符号の説明】
【００２９】
１…携帯電話、２…ゲートウェイ、３…ＳＩＰサーバ、４…グループウェアサーバ、５…ＩＰ電話端末、６…ＩＳＤＮ網、７…ＩＰ網、８…３Ｇ３２４Ｍ網
【図１】
2005286475.tif 000003
【図２】
2005286475.tif 000004
【図３】
2005286475.tif 000005
【図４】
2005286475.tif 000006